(57)【要約】【課題】後方部における液漏れを抑制することができる吸収性物品に関する。【解決手段】本発明の一形態に係る吸収性物品は、吸収性コアを具備する。上記吸収性コアは、長手方向の両端部側に位置する前方コア部及び後方コア部を有する。上記後方コア部は、上記長手方向に直交する幅方向に配列され上記長手方向に延びる複数の縦溝部を含む構造面を有する。上記構造面は、上記幅方向の両側方に位置し縦溝部が第１の比率で占有する一対の第１の領域と、該第１の領域よりも上記幅方向の中央側に位置し縦溝部が上記第１の比率よりも大きい第２の比率で占有する第２の領域とを有する。【選択図】図４
2019103713.tif 000002
【特許請求の範囲】
【請求項１】
長手方向の両端部側に位置する前方コア部及び後方コア部を有する吸収性コアを具備し、
前記後方コア部は、前記長手方向に直交する幅方向に配列され前記長手方向に延びる複数の縦溝部を含む構造面を有し、
前記構造面は、前記幅方向の両側方に位置し縦溝部が第１の比率で占有する一対の第１の領域と、該第１の領域よりも前記幅方向の中央側に位置し縦溝部が前記第１の比率よりも大きい第２の比率で占有する第２の領域とを有する
吸収性物品。
【請求項２】
請求項１に記載の吸収性物品であって、
前記一対の第１の領域は、前記後方コア部を前記幅方向に３等分した各領域のうち前記幅方向の両側方に位置し、
前記第２の領域は、前記３等分した各領域のうち前記幅方向の中央部に位置する
吸収性物品。
【請求項３】
請求項２に記載の吸収性物品であって、
前記第２の領域に設けられる縦溝部の数は、前記一対の第１の領域に設けられる縦溝部の数よりも多い
吸収性物品。
【請求項４】
請求項２に記載の吸収性物品であって、
前記第２の領域に設けられる縦溝部の幅は、前記一対の第１の領域に設けられる縦溝部の幅よりも広い
吸収性物品。
【請求項５】
請求項１に記載の吸収性物品であって、
前記構造面は、前記一対の第１の領域と第２の領域との間に位置し縦溝部が前記第１の比率よりも大きく第２の比率よりも小さい第３の比率で占有する一対の第３の領域を更に有する
吸収性物品。
【請求項６】
請求項１から５のいずれか1項に記載の吸収性物品であって、
前記複数の縦溝部の配列ピッチは、前記第２の領域から前記一対の第１の領域に向かって徐々に大きくなる
吸収性物品。
【請求項７】
請求項１から６のいずれか１項に記載の吸収性物品であって、
前記構造面は、前記長手方向に配列され前記幅方向に延びる複数の横溝部と、前記複数の縦溝部と前記複数の横溝部とにより区画される複数のブロック部とをさらに有し、
前記第２の領域における各ブロック部の面積は、前記一対の第１の領域における各ブロック部の面積よりも小さい
吸収性物品。
【発明の詳細な説明】
【技術分野】
【０００１】
本発明は、生理用ナプキン等の吸収性物品に関する。
【背景技術】
【０００２】
経血等の液状物を吸収する吸収性物品は、液状物を吸収するための長手方向を有する吸収体を備えている。吸収体は、吸収性コアと該吸収性コアを被覆するコアラップシートを有する。吸収性コアは、吸収性物品を着用する装着者の肌に沿うように、溝が形成されている（例えば特許文献１参照）。
【先行技術文献】
【特許文献】
【０００３】
【特許文献１】特開２０１５−１１２２３５号公報
【発明の概要】
【発明が解決しようとする課題】
【０００４】
吸収性物品としての生理用ナプキンは、その後方部が装着者の臀部に対応して装着される。特に、夜間用の生理用ナプキンは、後方部の液漏れを抑制するために後方部が長く形成されており、生理用ナプキンの後方部は、臀部をほぼ覆うように形成される。臀部は、臀部の膨らみに対して臀裂部分が急激に窪む形状となっているため、生理用ナプキンの後方部において、臀裂と生理用ナプキンとの間に隙間が生じやすい。このため、装着者の排泄領域から排泄された経血等の液状物は、臀裂をつたって後方部に流れ、後方部で液漏れが生じる場合がある。
【０００５】
本発明の課題は、後方部における液漏れを抑制することができる吸収性物品に関する。
【課題を解決するための手段】
【０００６】
本発明の一形態に係る吸収性物品は、吸収性コアを具備する。
上記吸収性コアは、長手方向の両端部側に位置する前方コア部及び後方コア部を有する。
上記後方コア部は、上記長手方向に直交する幅方向に配列され上記長手方向に延びる複数の縦溝部を含む構造面を有する。
上記構造面は、上記幅方向の両側方に位置し縦溝部が第１の比率で占有する一対の第１の領域と、該第１の領域よりも上記幅方向の中央側に位置し縦溝部が上記第１の比率よりも大きい第２の比率で占有する第２の領域とを有する。
【発明の効果】
【０００７】
以上のように、本発明によれば、吸収性物品の後方部における液漏れを抑制することができる。
【図面の簡単な説明】
【０００８】
【図１】本発明の第１の実施形態の吸収性物品を示す斜視図である。
【図２】上記吸収性物品の平面図である。
【図３】図２のIII−III線で切断した断面図である。
【図４】上記吸収性物品の吸収性コアの平面図である。
【図５】上記吸収性物品を着用した際のナプキンの変形状態を示す概略図である。
【図６】本発明の第２の実施形態の吸収性物品の吸収性コアの平面図である。
【図７】本発明の第３の実施形態の吸収性物品の吸収性コアの平面図である。
【図８】本発明の第４の実施形態の吸収性物品の吸収性コアの平面図である。
【図９】本発明の第５の実施形態の吸収性物品の吸収性コアの平面図である。
【発明を実施するための形態】
【０００９】
以下、図面を参照しながら、本発明の実施形態を説明する。
図面には、Ｘ軸、Ｙ軸、及びＺ軸が示されている。
【００１０】
＜第１の実施形態＞
［ナプキンの全体構成］
図１は、本発明の一実施形態に係る吸収性物品１を示す斜視図である。図１では、Ｘ軸方向が前後方向、Ｙ軸方向が左右方向、Ｚ軸方向が上下方向にそれぞれ対応する。
図２は、吸収性物品１の平面図であり、図１に示す吸収性物品１をＸＹ平面に沿って引き延ばした態様を示す。図２に示す吸収性物品１では、Ｘ軸方向が長手方向、Ｙ軸方向が幅方向、Ｚ軸方向が厚み方向に対応する。以下、図２に示す態様において吸収性物品１を説明する。
本実施形態の吸収性物品１は、生理用ナプキンとして構成され、以下、ナプキン１と称する。
本実施形態のナプキン１は、就寝時に使用されてもよく、例えば長手方向であるＸ軸方向に沿って３０ｃｍ以上の長さを有していてもよい。
【００１１】
ナプキン１は、本実施形態において、本体Ｍと、一対のウイング部Ｗと、一対のサイドガードＧと、一対の後方フラップ部Ｆと、を備える。
【００１２】
本体Ｍは、長手方向に延び、装着時に装着者の下着の内面（被装着面）に固定される。本体Ｍは、後述する吸収体を有しており、装着者の経血等の液状物（以下、「液」とも称する）を吸収する機能を有する。
本体Ｍは、長手方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄領域の前方に対向するように構成される。
中間領域Ｍ２は、装着時に装着者の排泄領域に対向するように構成される。ウイング部を有するナプキンの場合には、ウイング部の全長と重なる長手方向Ｘの領域が中間領域Ｍ２となる。ウイング部を有さないナプキンの場合には、ナプキンの全長を３等分したときの中央の領域を中間領域Ｍ２とする。なお、中間領域Ｍ２は、図示のように本体Ｍの前方寄りに位置してもよいし、本体Ｍの中央部に位置してもよい。
後方領域Ｍ３は、中間領域Ｍ２の後方（装着者の背側）に配置される領域であり、装着時に装着者の排泄領域の後方に対向するように構成される。後方領域Ｍ３は、本実施形態において、前方領域Ｍ１及び中間領域Ｍ２の各々より長手方向に長く形成されている。これにより、後方への液の漏れを効果的に防止することができる。
【００１３】
ウイング部Ｗは、中間領域Ｍ２から幅方向の外側に大きく突出するように構成される。
サイドガードＧは、中間領域Ｍ２を含む本体Ｍの幅方向周縁において、長手方向に延びるように配置される。
後方フラップ部Ｆは、後方領域Ｍ３から幅方向の外方に膨出するように構成され、装着時に装着者の下着の内面の臀部に面する領域に固定され得る。これにより、後方フラップ部Ｆは、装着時における装着者の動作に伴う後方領域Ｍ３の位置ずれを防止し、後方領域Ｍ３による後ろ漏れ防止機能をサポートすることができる。
なお、ナプキン１は、ウイング部Ｗ、サイドガードＧ、及び後方フラップ部Ｆのうちの少なくとも一つを有さなくてもよい。
【００１４】
［ナプキンの各部の構成］
図３は、図２のIII−III線で切断した断面図である。
ナプキン１は、吸収体１１と、表面シート１２と、裏面シート１３と、一対のサイドシート１４と、粘着部１５と、圧搾溝１６と、を備える。
なお、本体Ｍは、吸収体１１と、表面シート１２と、裏面シート１３と、を有し、これらが積層された構成を有する。
【００１５】
吸収体１１は、Ｘ軸方向に長手方向を有し、ナプキン１の厚み方向中央部に配置される。吸収体１１は、排泄された液を表面シート１２側の面から吸収し、内部で拡散させて当該液を保持する。
吸収体１１は、吸収性コア２０とコアラップシート３０とを有する。
【００１６】
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。吸収性コア２０の詳細な構成については後述する。
吸収性コア２０は、表面シート１２に対向する第１の面２０ａと、裏面シート１３に対向する第２の面２０ｂとを有する。本実施形態において、第１の面２０ａは、凸状構造や溝を有する構造面として構成され、第２の面２０ｂは平坦面として構成される。
【００１７】
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
【００１８】
表面シート１２は、液透過性のシート材として構成され、吸収体１１上に配置される。表面シート１２は、本体Ｍにおいてナプキン１の表面（厚み方向上方の面）を構成する外面１２ａを含む。
【００１９】
裏面シート１３は、吸収体１１を挟んで表面シート１２と厚み方向に対向して配置される。裏面シート１３は、ナプキン１の裏面（厚み方向下方の面）を構成する外面１３ａを含み、本体Ｍ、ウイング部Ｗ及び後方フラップ部Ｆの全体に配置される。
【００２０】
一対のサイドシート１４は、表面シート１２を挟んで幅方向に相互に対向し、ナプキン１の幅方向周縁に配置される。
【００２１】
粘着部１５は、ナプキン１を下着に対して固定させるための構成であり、裏面シート１３の外面１３ａに形成される。粘着部１５は、例えば、本体Ｍに設けられる本体粘着部１５１と、ウイング部Ｗに設けられるウイング粘着部（後述する図１２の符号１５２）と、後方フラップ部Ｆに設けられる後方フラップ粘着部１５３と、を有する。
【００２２】
圧搾溝１６は、吸収体１１及び表面シート１２を圧搾加工することによって形成された線状溝として構成される。圧搾溝１６は、図１、２に示すように本体Ｍを周回するように構成される。
圧搾溝１６により、装着時に装着者にフィットする形状への変形を誘導できるとともに、ナプキン１の幅方向及び長手方向外方への液漏れ防止効果を高めることができる。
【００２３】
［吸収性コアの詳細な構成］
図４は、吸収体１１の一部を構成する吸収性コア２０の構成を示す平面図である。図４は、ナプキン１として組み立てられる前の吸収性コア２０単体の平面図である。従って、図４に示される吸収性コア２０では、圧搾溝１６による溝は形成されていない状態となっている。
【００２４】
（吸収性コアの全体構成）
吸収性コア２０は、長手方向に相互に対向する前方コア部２１と後方コア部２３と、前方コア部２１と後方コア部２３の間に位置する中間コア部２２とを有する。吸収性コア２０は、中間コア部２２において括れた平面形状を有する。吸収性コア２０の前方コア部２１は前方領域Ｍ１のみに、中間コア部２２は前方領域Ｍ１から中間領域Ｍ２を介して後方領域Ｍ３に亘る範囲に、後方コア部２３は後方領域Ｍ３のみに、それぞれ配置される。
【００２５】
前方コア部２１及び後方コア部２３は、長手方向の両端部側にそれぞれ配されている。前方コア部２１及び後方コア部２３は、装着時に装着者の排泄領域の前方及び後方にそれぞれ配置され得る。
中間コア部２２は、前方コア部２１及び後方コア部２３の間に位置し、前方コア部２１及び後方コア部２３よりも狭い幅を有する。
【００２６】
前方コア部２１及び後方コア部２３は、本実施形態において、中間コア部２２に隣接し中間コア部２２に向かって幅が減少する境界部２１ａ，２３ａをそれぞれ有していてもよい。境界部２１ａ，２３ａは、幅方向に平行な対称軸に関して線対称な形状でもよいし、非対称な形状でもよい。境界部２１ａ，２３ａを設けることで、幅方向内方への外力に対する境界部２１ａ，２３ａの変形を抑制し、中間コア部２２の変形を効果的に抑制することができる。
【００２７】
吸収性コア２０は、厚み方向であるＺ軸方向に沿って相互に対向する第１の面２０ａと第２の面２０ｂとを有する。
【００２８】
第１の面２０ａは、コアラップシート３０を介して表面シート１２が配置される側の面である。表面シート１２の外面１２ａは肌当接面となる。ナプキン１が装着者により装着された際、第１の面２０ａは装着者の肌側に位置する。
【００２９】
第２の面２０ｂは、コアラップシート３０を介して裏面シート１３が配置される側の面である。裏面シート１３の外面１３ａに形成される粘着部１５によりナプキン１は下着の内面に固定可能に構成される。ナプキン１が装着者により装着された際、第２の面２０ｂは下着の内面側に位置する。第２の面２０ｂは略平坦面となっている。
【００３０】
第１の面２０ａは互いに交差する複数の縦溝部２７及び横溝部２８を有する。
吸収性コア２０において、縦溝部２７及び横溝部２８は、吸収性コア２０の幅方向（Ｙ軸方向）の中央を通る長手方向（Ｘ軸方向）に延びる直線を軸にして線対称に設けられる。
複数の横溝部２８は、長手方向に配列され、長手方向に直交する幅方向（Ｙ軸方向）に延びる。
複数の縦溝部２７は、幅方向に配列され、長手方向に延びる。
【００３１】
縦溝部２７及び横溝部２８を設けることで、吸収性コア２０の柔軟性を高めるとともに、溝の内部に液を引き込むことで液吸収速度を高めることができる。また、吸収性コア２０が縦溝部２７及び横溝部２８によって複数のブロック部２９に区画されることで、吸収性コア２０の表面積を高め、液を効率よく吸収し保持することができる。
各ブロック部２９は、平面視したときの頂部の平面形状が、四辺形状、略扇状、或いは矩形の一部が欠けた形状となっている。いずれのブロック部２９においても頂部は略平坦面となっている。
【００３２】
第１の面２０ａは、縦溝部２７と横溝部２８とにより区画形成される複数の凸部状のブロック部２９を有する。吸収性コア２０は、第１の面２０ａに、坪量分布等に起因する凹凸構造を有する。坪量は剛性と相関を有するため、坪量分布を調整することで、装着時に付加される外力に対する吸収性コア２０の変形を制御することができる。
【００３３】
中間コア部２２は、高坪量部２４と、一対の低坪量部２５と、を含む。図４では、高坪量部２４を密のドットパターンで示し、低坪量部２５を粗のドットパターンで示している。
中間コア部２２に配置されるブロック部２９のうち、中央２列に配列されるブロック部群により高坪量部２４が構成される。高坪量部２４の両側方にそれぞれ１列ずつ配列されるブロック部群により低坪量部２５が構成される。
高坪量部２４は、低坪量部２５に対して坪量が高い。
高坪量部２４は、装着時に装着者の排泄領域に対向するように配置され得る。
【００３４】
図４に示すように、第１の面２０ａは、前方コア部２１に位置する前方構造面５１と、中間コア部２２に位置する受液面５２と、後方コア部２３に位置する後方構造面５３とを有する。前方構造面５１は、受液面５２と隣接する。後方構造面５３は、受液面５２と隣接する。
【００３５】
前方構造面５１及び後方構造面５３は、平坦な面に複数の溝部が形成された形状となっている。
受液面５２では、高坪量部２４が、低坪量部２５、前方コア部２１及び後方コア部２３から厚み方向上方に突出する形状となっている。高坪量部２４及び低坪量部２５はそれぞれ平坦な面に複数の溝部が形成された形状となっている。
なお、図３の形態に代えて、高坪量部２４がＺ方向下方に突出する形態であってもよい。その場合、下着に貼り付けた際に裏面シートを介して下方に突出した凸構造が上方へ押し上げられ、図３の形態と同様の構造となる。
【００３６】
吸収性コア２０において、溝部２７及び２８が形成されている領域、すなわち溝部２７及び２８を形成する底部は、溝部２７及び２８が形成されていないブロック部２９と比較して、相対的に厚み方向（Ｚ軸方向）における厚みが薄くなっている。
吸収性コア２０の厚みと坪量は相関関係にある。溝部２７及び２８を形成する底部は、ブロック部２９と比較して、相対的に坪量が低くなっている。これにより、溝部２７及び２８の底部は、ブロック部２９と比較して剛性が低くなる。したがって、吸収性コア２０に対して外力が加わったとき、溝部２７及び２８を変形起点として吸収性コア２０は変形しやすくなっている。
なお、変形し易さの観点からは、各溝部は、その周囲のブロック部よりも吸収性材料の坪量が小さいことが望ましい。ここで、「低坪量」とは、吸収性コアの材料が存在する形態の他、吸収性コアの材料が存在しない形態も含む概念である。しかしながら、吸収性コアの材料が存在する形態の方が、各溝部を介してその両側に位置する吸収性コアのブロック状部位が接続されているため、吸収性コアが動きによってヨレ・破壊・千切れ等を生じ難く、かつ柔軟性を付与することができるため、より好ましい。
【００３７】
本実施形態において、各溝部は、溝部を形成する底部における溝幅と溝部の開口部における溝幅とがほぼ同じである。溝部の底部は第２の面２０ｂにほぼ平行に位置する。溝部を形成する溝部の側面は底部に対してほぼ垂直である。以下で説明する溝部の幅は、溝部の開口部における幅を示す。
【００３８】
尚、ここでは、溝部が、溝部の長手方向に直交する断面が略矩形状の例をあげて説明するが、これに限定されない。例えば底部から開口部に向かって幅が広がっていくテーパ状の側面を有する断面がＶ字形状或いは台形状の溝部であってもよい。このような場合においても、吸収性コア２０において、溝部が形成される領域は溝部が形成されない領域と比較して、坪量が低くなり、剛性が低くなる。例えば断面形状がＶ字形状或いは台形状の溝部の場合、溝部の幅は、開口部における幅を示す。
【００３９】
（後方構造面の構成）
次に、後方構造面５３に配置される縦溝部及び横溝部について詳細に説明する。吸収性コア２０は、２種類の幅の縦溝部を有する。
【００４０】
以下、本実施形態及び後述する他の実施形態において、吸収性コアが幅の異なる縦溝部２７を有する場合、相対的に幅の広い縦溝部を太縦溝部として第２の縦溝部２７２と称し、幅の狭い縦溝部を細縦溝部として第１の縦溝部２７１と称する場合がある。また、複数の縦溝部が全て同じ幅である場合は単に縦溝部２７と称して説明する。尚、第１の縦溝部２７１と第２の縦溝部２７２を特に区別する必要がない場合、いずれも縦溝部２７と称する。
【００４１】
後方構造面５３は、５つ縦溝部２７と横溝部２８を有する。
５つの縦溝部２７は、互いに離間し幅軸方向に等間隔の配列ピッチで配列され、幅方向に延びる。ここで、配列ピッチとは、隣り合う縦溝部の中心間距離である。
【００４２】
後方構造面５３において、５つの縦溝部２７は、２つの第１の縦溝部２７１と、３つの第２の縦溝部２７２と、を含む。
第１の縦溝部２７１は、５つの縦溝部２７のうちの左右両側に１つずつ位置する縦溝部である。
第２の縦溝部２７２は、５つの縦溝部２７のうち中央部に位置する３つの縦溝部である。
第２の縦溝部２７２は、第１の縦溝部２７１よりも幅広の溝部である。
【００４３】
図４に示すように、後方構造面５３は、幅方向の両側方に位置する一対の第１の領域２３８と、第１の領域２３８よりも幅方向の中央側に位置する第２の領域２３７を有する。
第１の領域２３８は、後方コア部２３をＹ軸方向に３等分した各領域のうち幅方向の両側方に位置する。
第２の領域２３７は、３等分した各領域のうち幅方向の中央部に位置する。第２の領域２３７は、一対の第１の領域２３８の間に位置する。
第２の領域２３７は、吸収性物品を幅方向に二等分する中心線を含む中央側の領域であり、中間コア部２２では装着者の排泄部と対向する部分を含む領域となり、後方コア部２３では臀裂６１と対向する部分を含む領域となっている。
【００４４】
第２の縦溝部２７２を介して対向配置される一対の第１の縦溝部２７１は、２つの第１の領域２３８にそれぞれ１つずつ配列される。
３つの第２の縦溝部２７２のうち中央に位置する１つの第２の縦溝部２７２は、第２の領域２３７に配列される。
３つの第２の縦溝部２７２のうち両側に位置する２つの第２の縦溝部２７２はそれぞれ第１の領域２３８と第２の領域２３７にまたがって配列される。
【００４５】
第１の縦溝部２７１と、３つの第２の縦溝部２７２のうち両側に位置する第２の縦溝部２７２の一部は、第１の比率で第１の領域２３８を占有する。
中央の第２の縦溝部２７２と、３つの第２の縦溝部２７２のうち両側に位置する第２の縦溝部２７２の残りの部分は、第２の比率で第２の領域２３７を占有する。
【００４６】
本実施形態においては、いずれの縦溝部も、等幅で前後方向に延びた形状を有しているので、第１の比率は、第１の領域２３８の幅方向の寸法に対する、第１の領域２３８に配列される縦溝部の幅寸法の合計の割合で示すことができる。
第２の比率は、第２の領域２３７の幅方向の寸法に対する、第２の領域２３７に配列される縦溝部の幅寸法の合計の割合で示すことができる。
【００４７】
第２の比率は、第１の比率よりも大きい。
上述のように、吸収性コア２０では、縦溝部２７の底部は、ブロック部２９よりも厚みが薄い。したがって、第２の比率を第１の比率よりも大きくすることにより、幅方向において、第２の領域２３７は、第１の領域２３８よりも、吸収性コアの厚みが薄い領域が占める割合が高くなる。これにより幅方向の中央部に位置する第２の領域２３７は、両側方に位置する第１の領域２３８よりも剛性が低くなる。
これにより、ナプキン１が装着されて吸収性コア２０に外力が加わったとき、後方コア部２３では、第２の領域２３７が第１の領域２３８よりも優先的に変形しやすくなっている。
【００４８】
このように、本実施形態では、後方コア部２３に配列される複数の縦溝部の幅を領域によって異ならせることにより、後方コア部２３の幅方向における縦溝部の占有比率分布を調整している。
【００４９】
尚、縦溝部の溝幅が前後方向で一定でない場合、縦溝部の占有比率は次のように求められる。
後方コア部２３の任意の箇所に、幅方向（Ｙ軸方向）に延び、後方コア部２３の幅長と同じ長さの仮想の線分を設ける。この仮想線分は、一対の第１の領域２３８と第２の領域２３７それぞれの領域に対応した、仮想線分が３等分されてなる３つの分割仮想線分を有する。仮想線分は、後方コア部２３の全長に亘って複数設定することができ、例えばここでは２０本設定する。
【００５０】
第１の領域２３８における縦溝部の占有比率である第１の比率は次のようにして求めることができる。すなわち、分割仮想線分の長さに対する、第１の領域２３８に位置する各縦溝部のある１つの分割仮想線上での溝幅の合計の割合が、ある１つの分割仮想線上における縦溝部の占有比率となる。仮想線分は２０本設定されているので、２０本の分割仮想線上で、同様に第１の領域２３８における縦溝部の占有比率を求める。第１の比率は、各分割仮想線上で求めた２０個の占有比率を平均して求める。
【００５１】
第２の領域２３７における縦溝部の占有比率である第２の比率は次のようにして求めることができる。すなわち、分割仮想線分の長さに対する、第２の領域２３７に位置する各縦溝部のある１つの分割仮想線上での溝幅の合計の割合が、ある１つの分割仮想線上における縦溝部の占有比率となる。仮想線分は２０本設定されているので、２０本の分割仮想線上で、同様に第２の領域２３７における縦溝部の占有比率を求める。第２の比率は、各分割仮想線上で求めた２０個の占有比率を平均して求める。
【００５２】
後方構造面５３は、横溝部２８と、縦溝部２７とにより、長手方向に６行、幅方向に６列に区画された、計３６個のブロック部２９を有する。これらブロック部２９は、平面形状が四辺形の頂部を有する。以下、ブロック部における寸法とは、ブロック部の四辺形状の頂部における寸法である。なお、後方構造面５３のブロック部の個数はこれに限られない。後方構造面５３の長手方向の長さに応じて、横溝部２８の本数等を変更することによって、ブロック部の個数は容易に変更できる。
【００５３】
後方コア部２３に位置するブロック部２９に関して、中央の２列に位置するブロック部群の各ブロック部２９に符号２９２を付し、中央２列に位置するブロック部群を介して幅方向に相互に対向して配列される一対のブロック部群の各ブロック部２９に符号２９１を付して説明する。
各ブロック部２９１は第１の領域２３８に位置し、各ブロック部２９２は第２の領域２３７に位置する。
【００５４】
以下、本実施形態及び後述する他の実施形態において、必要に応じて、第１の領域２３８におけるブロック部２９をブロック部２９１と称し、第２の領域２３７におけるブロック部２９をブロック部２９２と称して、区別する場合がある。尚、ブロック部２９１とブロック部２９２とを特に区別する必要がない場合、いずれもブロック部２９と称する。
【００５５】
横溝部２８は、後方構造面５３の各ブロック部２９の長手方向（Ｘ軸方向）の辺の寸法がいずれも同じとなるように、後方構造面５３において等間隔に配列される。
【００５６】
ブロック部２９２の幅方向の寸法は、ブロック部２９１の幅方向の寸法よりも短い。
第１の領域２３８に位置するブロック部２９１のうち、第２の領域２３７に位置する２列のブロック部群のすぐ両側に位置する一対のブロック部群の各ブロック部２９１は、最も外側に位置する一対のブロック部群の各ブロック部２９１よりも幅方向の寸法がいずれも短い。
【００５７】
上述の吸収性コア２０は、典型的には、パルプ繊維と吸収性ポリマーとを混合積繊した混合積繊体である。
吸収性コア２０に含まれる親水性繊維としては、例えば、パルプ繊維、レーヨン繊維、コットン繊維、酢酸セルロース等のセルロース系の親水性繊維、ポリエチレン、ポリプロピレン等のポリオレフィン系繊維、ポリエステル、ポリアミド等の縮合系繊維等から選ばれる１種又は２種以上を用いることができる。
吸収性コア２０に含まれる吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸等から選ばれる１種又は２種以上を用いることができる。
【００５８】
上述の後方構造面５３に凹凸構造を有する吸収性コア２０は、例えば外周面に集積用凹部を有する積繊ドラムを備える積繊装置を用いて製造することができる。積繊装置では、積繊ドラムの外周面にパルプ繊維等のコア材料を供給することにより、集積用凹部内にコア材料を堆積させる。この堆積してなる積繊体を集積用凹部から離型することによって吸収性コアを得ることができる。
【００５９】
［本実施形態の作用効果］
図５は、本実施形態のナプキン１を着用した際の装着者の臀部６０の臀裂６１とナプキン１の後方領域Ｍ３の変形状態との関係を説明する模式図である。
【００６０】
以上のように、本実施形態では、後方コア部２３の幅方向の中央部に太縦溝部である第２の縦溝部２７２が配列され、両側方に細縦溝部である第１の縦溝部２７１が配列されるので、第２の領域２３７における縦溝部の占有比率（第２の比率）が、第１の領域２３８における縦溝部の占有比率（第１の比率）よりも大きくなるように構成される。
【００６１】
これにより、吸収性コア２０の後方コア部２３では、第２の領域２３７は第１の領域２３８と比較して、幅方向で吸収性コア２０の厚みが薄い領域の占める割合が高くなっている。したがって、後方コア部２３では、第２の領域２３７が位置する中央は、第１の領域２３８が位置する両側方よりも剛性が低く、変形しやすくなっている。
【００６２】
これにより、図５に示すように、ナプキン１が装着された際、第２の領域２３７は第１の領域２３８よりも優先的に第１の面２０ａ側に突出するように変形しやすい。したがって、ナプキン１が装着された際、後方コア部２３の中央が肌に向かって突出し、この突出した部分が臀裂６１に沿うようにしてナプキン１が変形しやすくなる。これにより、臀裂６１とナプキン１との隙間を小さくすることができ、ナプキン１の後方での液漏れが抑制される。
【００６３】
更に、第１の領域２３８には縦溝部が配列されているので、優先的に変形する第２の領域２３７に追従し、臀部の膨らみに沿って変形しやすい。これにより、臀部と吸収性物品との間の隙間が小さくなり、フィット性が向上し、後方部の横漏れが抑制される。
【００６４】
また、第１の領域２３８は第２の領域２３７と比較して剛性が高く変形しにくくなっているので、吸収性コア２０の第２の領域２３７が臀裂６１に沿って変形しても、第２の領域２３７の変形に連動して第１の領域２３８が変形しすぎることがない。したがって、ナプキン１の装着時の吸収性コア２０の後方コア部２３におけるよれが抑制される。
【００６５】
このように、本実施形態のナプキン１は、その後方領域が臀裂を含む臀部の形状に沿って変形しやすく、更に、よれの抑制が可能となっている。これにより、装着者の経血等の液状物がナプキン１の後方コア部２３に流れ出ても臀裂６１に沿って変形した吸収体１１に速やかに吸収され漏れが抑制され、さらにナプキン１がよれることによる液漏れが抑制される。特に、就寝時に装着者により仰向けの体勢でナプキンが装着される場合、液状物は背中側の後方に流れやすいため、本実施形態のナプキン１は夜間の後方の液漏れを抑制するのに有効である。
【００６６】
また、本実施形態では、変形しやすい第２の領域２３７がある程度の幅、例えば後方コア部２３の幅Ｄのおよそ１／３の幅を持って形成されている。これにより、例えば幅方向にずれてナプキン１が装着されても、第２の領域２３７は臀裂６１に対応して配置され、臀裂６１に沿った形状に変形される。従って、ナプキン１と肌との間に隙間が生じにくく、漏れが抑制される。
【００６７】
また、本実施形態では、後方コア部２３において、第２の領域２３７の各ブロック部２９２の面積は、一対の第１の領域２３８の境界部２３ａを有するブロック部２９１を除く各ブロック部２９１の面積よりも小さい。
具体的には、ブロック部２９２及びブロック部２９１の長手方向における寸法はいずれも同じであるので、ブロック部２９２の幅方向における寸法は、ブロック部２９１の幅方向における寸法よりも短くなっている。
ここで、ブロック部の面積とは、平面視したときの四辺形状のブロック部の頂部の面積のことを指す。
【００６８】
このように、幅方向の中央部に位置する第２の領域２３７に配置されるブロック部２９２の面積を相対的に小さくする、換言すると、ブロック部２９２の幅方向における寸法を短くすることにより、幅方向で隣り合うブロック部２９２間に位置する第２の縦溝部２７２が変形起点となりやすく、ブロック部２９２内で変形が起きにくい。
従って、ナプキン１を装着した際に、臀裂に沿って理想的な形状にナプキン１が変形しやすい。
【００６９】
また、本実施形態では、縦溝部２７の他に横溝部２８が配置されるので、ナプキン１の長手方向において、装着者の装着対象部位の形状に沿って変形しやすく、フィット性が向上する。
【００７０】
［本実施形態の追加説明］
以下、本実施形態の説明を補足する。
【００７１】
（溝部の幅の測定方法）
溝部の幅は、溝部の開口部における幅を測定することにより求める。吸収性コアを水平に置き、マイクロスコープ（ＫＥＹＥＮＣＥ社製ＶＨＸ−１０００）により測定倍率を調整して第１の面２０ａを拡大することで、開口幅を測定する。
或いは、フェザー社製片刃剃刀を用いて吸収性コア２０を切断し、切断されたサンプルの断面を、マイクロスコープ（ＫＥＹＥＮＣＥ社製ＶＨＸ−１０００）を用いて２０〜１００倍の倍率で観察し、溝幅を測定してもよい。同様の手法で、溝部の底部の厚み及びブロック部の厚みも測定することができる。
【００７２】
（吸収性コアの各部の坪量の測定方法）
測定対象である吸収体１１の各部をフェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００７３】
（吸収性コアの各部の厚みの測定方法）
測定対象である吸収性コア２０の厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００７４】
（各構成の数値例）
上記吸収性コアの数値例について説明する。尚、ここに記載する数値に限定されない。第２の比率が第１の比率よりも大きくなるようにすればよく、第１の比率及び第２の比率、溝部の幅等は、吸収性コアの幅、溝部の深さ、溝部の底部及びブロック部の厚みに応じて適宜設定される。溝部の底部及びブロック部の厚みは坪量と相関関係にある。溝部の底部及びブロック部の厚み、坪量は、装着者に違和感を与えにくい適度な厚みで快適な装着感を提供しつつ十分な吸収量が得られるように適宜設定される。
【００７５】
第１の比率は、好ましくは１０％以上２１％以下、更に好ましくは１１％以上２０％以下であり、本実施形態では１６％とした。
第２の比率は、好ましくは２０％以上３４％以下、更に好ましくは２２％以上３０％以下であり、本実施形態では２５％とした。
第２の比率は第１の比率の好ましくは１．１倍以上３倍以下、更に好ましくは１．３倍以上２．７倍以下である。
【００７６】
後方コア部２３の第２の領域２３７に配置される中央２列のブロック部群のブロック部２９２の幅方向の寸法は、例えば８．５ｍｍ以上１０．５ｍｍ以下であり、本実施形態では１０ｍｍとした。
後方コア部２３の中央２列のブロック部群に隣接し、中央２列のブロック部群を介して対向配置される一対のブロック部群の各ブロック部２９１の幅方向の寸法は、例えば１０ｍｍ以上１１．５ｍｍ以下であり、本実施形態では１１ｍｍとした。
後方コア部２３の最も外側に位置する一対のブロック部群の各ブロック部２９１の幅方向の寸法は、例えば１０．７ｍｍ以上１２．３ｍｍ以下であり、本実施形態では１１．５ｍｍとした。
【００７７】
後方コア部２３の幅Ｄは、例えば６０ｍｍ以上１００ｍｍ以下であり、本実施形態では８０ｍｍとした。後方コア部２３の幅は、第１の面２０ａにおける幅である。
後方コア部２３に配列される縦溝部２７の配列ピッチは、例えば１１ｍｍ以上１５ｍｍ以下であり、本実施形態では１３ｍｍとした。
【００７８】
細縦溝部である第１の縦溝部２７１の幅ａは、後方部が臀部に沿って柔らかく変形し易くするために、好ましくは０．５ｍｍ以上２．５ｍｍ以下、更に好ましくは１ｍｍ以上２ｍｍ以下であり、本実施形態では１．５ｍｍとした。
太縦溝部である第２の縦溝部２７２の幅ｂは、中央部が臀部に沿いやすく湾曲し易く、かつ、十分な強度を有するために、好ましくは２．５ｍｍ以上５．５ｍｍ以下、更に好ましくは３ｍｍ以上５ｍｍ以下であり、本実施形態で４ｍｍとした。
【００７９】
第１の縦溝部２７１、第２の縦溝部２７２及び横溝部２８の溝深さｄ１は、１．５ｍｍ以上６．０ｍｍ以下であり、本実施形態においては４ｍｍとした。溝深さとは、ブロック部の頂部と同一平面上に位置する溝部の開口部から底部までの距離を示す。
【００８０】
横溝部２８及び縦溝部２７の底部の厚みは、例えば０．５ｍｍ以上６．０ｍｍ以下である。横溝部２８及び縦溝部２７の底面の坪量は、例えば２５ｇ／ｍ２以上３００ｇ／ｍ２以下である。
後方コア部２３のブロック部の厚みは、例えば２ｍｍ以上１０．０ｍｍ以下である。後方コア部２３のブロック部の坪量は、例えば１００ｇ／ｍ２以上５００ｇ／ｍ２以下である。
【００８１】
＜他の実施形態＞
後方コア部の後方構造面に配列される溝部の形態は第１の実施形態に限定されない。
以下、他の実施形態例として、第２〜第４の実施形態を例にあげて説明する。
【００８２】
以下の各実施形態に示す吸収性コアはいずれも、第１の実施形態の吸収性コア２０と同様に、厚み方向に沿って相互に対向する第１の面と第２の面とを有し、吸収性コアを組み込んでナプキンとしたときに、表面シートが配置される側の第１の面に溝部を有する。
各実施形態の説明で用いる吸収性コアの平面図は、溝部が配列される第１の面側の平面図に相当する。
【００８３】
以下の各実施形態に示す吸収性コアは、中央に位置する第２の領域２３７に配列される縦溝部の占有比率（第２の比率）が、第２の領域２３７の両側方となる一対の第１の領域２３８に配列される縦溝部の占有比率（第１の比率）よりも大きくなるよう構成される。
【００８４】
これにより、このような吸収性コアが組み込まれたナプキンは、装着された際、第２の領域２３７は第１の領域２３８よりも優先的に変形しやすい。したがって、ナプキンは、肌に向かって第２の領域２３７で第１の面側で突出し、突出した部分が臀裂６１に沿うように変形しやすくなる。これにより、臀裂６１とナプキンとの隙間を小さくすることができ、ナプキンの後方での液漏れが抑制される。
【００８５】
更に、第１の領域２３８には縦溝部が配列されているので、第１の領域２３８は、優先的に変形する第２の領域２３７に追従し、臀部の膨らみに沿って変形しやすい。これにより、臀部と吸収性物品との間の隙間が小さくなり、フィット性が向上し、後方部の横漏れが抑制される。
【００８６】
また、第１の領域２３８は第２の領域２３７と比較して剛性が高く変形しにくくなっているので、第２の領域２３７が臀裂６１に沿って変形しても、第２の領域２３７の変形に連動して第１の領域２３８が変形しすぎることがない。したがって、ナプキン１の装着時の吸収性コア２０の後方コア部２３におけるよれが抑制される。
【００８７】
以下、各実施形態において、第１の実施形態と異なる構成を主に説明し、同様の構成については同様の符号を付し、その説明を省略する。
【００８８】
＜第２の実施形態＞
第１の実施形態の吸収性コア２０では、複数の縦溝部２７の幅を領域によって異ならせることにより、第２の比率が第１の比率よりも大きくなるように構成されていた。
【００８９】
これに対し、本実施形態の吸収性コア１２０は、後方コア部２３に配列される縦溝部２７の幅が全て同じであり、縦溝部２７の配列ピッチを第１の領域２３８と第２の領域２３７とで異ならせ、各領域に配列される縦溝部２７の数を異ならせることにより、第２の比率が第１の比率よりも大きくなるように構成される。
このように、本実施形態では、配列する縦溝部２７の数を後方コア部２３の領域によって異ならせることにより、後方コア部２３の幅方向（Ｙ軸方向）における縦溝部２７の占有比率分布を調整している。
【００９０】
第２の実施形態例について図６を用いて説明する。図６は、ナプキンの一部を構成する吸収性コア１２０の平面図例である。
以下、第１の実施形態と異なる構成を主に説明し、上述と同様の構成については同様の符号を付し、その説明を省略する場合がある。
【００９１】
第１の実施形態と同様に、後方構造面５３は、幅方向に３等分に分割された、中央に位置する第２の領域２３７、第２の領域２３７の両側方となる一対の第１の領域２３８を有する。
後方構造面５３には、７つの縦溝部２７が配列される。
７つの縦溝部２７のうち２つの縦溝部２７は、一対の第１の領域２３８それぞれに１つずつ配列される。各第１の領域２３８で、１つの縦溝部２７は、第１の比率で第１の領域２３８を占有する。
残りの５つの縦溝部２７は、第２の領域２３７に配列される。この５つの縦溝部２７は、第２の比率で第２の領域２３７を占有する。
７つの縦溝部２７はいずれも同じ幅を有し、例えば第１の実施形態の第１の縦溝部２７１と同様の１．５ｍｍの幅を有する。
【００９２】
後方構造面５３は、横溝部２８と縦溝部２７とにより、長手方向（Ｘ軸方向）に６行、幅方向（Ｙ軸方向）に８列に区画された、計４８個のブロック部２９を有する。
第２の領域２３７には、中央４列に位置する２４個のブロック部２９２が配置される。
一対の第１の領域２３８にはそれぞれ１２個ずつブロック部２９１が配置される。
【００９３】
本実施形態では、後方コア部２３において、第２の領域２３７の各ブロック部２９２の面積は、一対の第１の領域２３８の境界部２３ａを有するブロック部２９１を除く各ブロック部２９１の面積よりも小さい。
具体的には、ブロック部２９２及びブロック部２９１の長手方向における寸法はいずれも同じとなるように横溝部２８が設けられているので、ブロック部２９２の幅方向における寸法が、ブロック部２９１の幅方向における寸法よりも短くなっている。
【００９４】
このように、幅方向の中央部に位置する第２の領域２３７に配置されるブロック部２９２の面積を小さくする、換言すると、ブロック部２９２の幅方向における寸法を短くすることにより、幅方向で隣り合うブロック部２９２間に位置する縦溝部２７が変形起点となりやすく、ブロック部２９２内で変形が起きにくい。
従って、ナプキン１を装着した際に、臀裂に沿って理想的な形状にナプキン１が変形しやすい。
【００９５】
＜第３の実施形態＞
図７は、本実施形態におけるナプキンの一部を構成する吸収性コア２２０の平面図例である。上述の実施形態と同様の構成については同様の符号を付し、その説明を省略する場合がある。
【００９６】
吸収性コア２２０の後方構造面５３は、幅方向（Ｙ軸方向）に等分に５分割された、一対の第１の第１の領域２３８と、１つの第２の領域２３７と、一対の第３の領域２３９とを有する。
一対の第１の領域２３８は、幅方向の両側方に位置する。一対の第１の領域２３８は、第２の領域２３７及び第３の領域２３９を介して対向配置される。
第２の領域２３７は、５等分した各領域のうち最も幅方向の中央側に位置する。
一対の第３の領域２３９は、第２の領域２３７を介して対向配置される。第３の領域２３９は、第１の領域２３８と第２の領域２３７との間に位置する。
【００９７】
後方構造面５３には、幅が同じ９つの縦溝部２７が配列される。縦溝部２７は、例えば第１の実施形態の第１の縦溝部２７１と同様の１．５ｍｍの幅を有する。
【００９８】
一対の第１の領域２３８それぞれには、１つずつ縦溝部２７が配列される。この縦溝部２７は、第１の比率で各第１の領域２３８を占有する。
第２の領域２３７には、３つの縦溝部２７が配列される。この３つの縦溝部２７は、第２の比率で第２の領域２３７を占有する。
一対の第３の領域２３９それぞれには、２つずつ縦溝部２７が配列される。この２つの縦溝部２７は、第３の比率で各第３の領域２３９を占有する。第３の比率は、第３の領域２３９の幅方向の寸法に対する、第３の領域２３９に配列される縦溝部の幅の合計寸法の割合を示す。
【００９９】
このように、本実施形態の吸収性コア２２０は、後方構造面５３に配列される縦溝部２７の幅が全て同じであり、後方構造面５３を幅方向に５等分に分割したときの各領域に配列される縦溝部２７の数が、幅方向の両側方部から中央部に向かって段階的に増加するように構成される。
従って、第３の領域２３９における縦溝部２７の占有比率（第３の比率）は、第１の領域２３８における縦溝部２７の占有比率（第１の比率）よりも大きく、第２の領域２３７における縦溝部２７の占有比率（第２の比率）よりも小さく構成される。
これにより、吸収性コア２２０の後方コア部２３では、幅方向の両側方から中央に向かって徐々に剛性が低くなり、変形しやすい構造となる。
【０１００】
このような吸収性コア２２０を備えるナプキンは、装着された際、第２の領域２３７は、第１の領域２３８及び第３の領域２３９よりも優先的に変形しやすい。したがって、第２の領域２３７が第１の面側で突出し、この突出した部分が臀裂６１に沿うようにナプキン１が変形しやすくなる。これにより、臀裂６１とナプキンとの隙間を小さくすることができ、ナプキンの後方での液漏れが抑制される。
【０１０１】
更に、第１の領域２３８よりも変形しやすく、第２の領域２３７よりも変形しにくい第３の領域２３９が設けられることにより、吸収性コア２２０は、中央部から側方部に向かって幅方向に段階的に変形しやすさが変化する。これにより、臀裂から臀部の膨らみにかけた領域に対応する吸収性コア２２０の変形が緩やかとなり、フィット性がより向上する。
【０１０２】
＜第４の実施形態＞
図８は、本実施形態におけるナプキンの一部を構成する吸収性コア３２０の平面図例である。上述の実施形態と同様の構成については同様の符号を付し、その説明を省略する場合がある。
【０１０３】
吸収性コア３２０の後方構造面５３は、第３の実施形態と同様に、幅方向（Ｙ軸方向）に等分に５分割された、一対の第１の領域２３８と、１つの第２の領域２３７と、一対の第３の領域２３９とを有する。
【０１０４】
後方構造面５３には、幅寸法が異なる５つの縦溝部２７が配列される。
一対の第１の領域２３８それぞれには、１つずつ細縦溝部である第１の縦溝部２７１が配列される。この第１の縦溝部２７１は、第１の比率で第１の領域２３８を占有する。
第２の領域２３７には、１つの太縦溝部である第２の縦溝部２７２が配列される。この第２の縦溝部２７２は、第２の比率で第２の領域２３７を占有する。
一対の第３の領域２３９それぞれには、１つずつ太縦溝部である第３の縦溝部２７３が配列される。この第３の縦溝部２７３は、第３の比率で第３の領域２３９を占有する。第３の比率は、第３の領域２３９の幅方向の寸法に対する、第３の領域２３９に配列される縦溝部の幅の合計寸法の割合を示す。
【０１０５】
第２の領域２３７に配列される第２の縦溝部２７２と第３の領域２３９に配列される第３の縦溝部２７３とは、いずれも太縦溝部であるが、幅が異なっている。第２の領域２３７の第２の縦溝部２７２は、第３の領域２３９の第３の縦溝部２７３よりも幅広である。
【０１０６】
本実施形態の吸収性コア３２０は、後方構造面５３を幅方向に５等分に分割したときの各領域に配列される縦溝部２７の数がいずれも同じく１つである。更に、各領域に配列される縦溝部２７の幅が、後方コア部２３の幅方向の両側方部から中央部に向かって徐々に幅広となっており、幅方向の中央に配列される第２の縦溝部２７２が最も幅広となっている。
【０１０７】
このように、吸収性コア３２０は、第１の領域２３８、第２の領域２３７、第３の領域２３９それぞれに配列される縦溝部２７の幅を異ならせることにより、第３の領域２３９における縦溝部２７の占有比率（第３の比率）が、第１の領域２３８における縦溝部２７の占有比率（第１の比率）よりも大きく、第２の領域２３７における縦溝部２７の占有比率（第２の比率）よりも小さくなるように構成される。
【０１０８】
これにより、吸収性コア３２０の後方コア部２３は、幅方向の両側方から中央に向かって徐々に、剛性が低く、変形しやすい構造となる。
【０１０９】
このような吸収性コア３２０を備えるナプキンは、装着された際、第２の領域２３７は第１の領域２３８及び第３の領域２３９よりも優先的に変形しやすい。したがって、第２の領域２３７が第１の面側で突出し、この突出した部分が臀裂６１に沿うようにナプキン１が変形しやすくなる。これにより、臀裂６１とナプキンとの隙間を小さくすることができ、ナプキンの後方での液漏れが抑制される。
【０１１０】
更に、第１の領域２３８よりも変形しやすく、第２の領域２３７よりも変形しにくい第３の領域２３９が設けられることにより、吸収性コア３２０は、中央から両側方に向かって幅方向に段階的に変形しやすさが変化する。これにより、臀裂から臀部の膨らみにかけた領域に対応する吸収性コア３２０の変形が緩やかとなり、フィット性がより向上する。
【０１１１】
＜第５の実施形態＞
図９は、本実施形態におけるナプキンの一部を構成する吸収性コア４２０の平面図例である。上述の実施形態と同様の構成については同様の符号を付し、その説明を省略する場合がある。
【０１１２】
吸収性コア４２０の後方構造面５３は、第１の実施形態と同様に、幅方向（Ｙ軸方向）に３等分に分割された、中央部に位置する第２の領域２３７、第２の領域２３７の両側方部となる一対の第１の領域２３８を有する。
【０１１３】
後方構造面５３には、幅が同じ７つの縦溝部２７が配列される。７つの縦溝部２７の配列ピッチは、第２の領域２３７から第１の領域２３８に向かって徐々に大きくなっている。
７つの縦溝部２７のうち４つの縦溝部２７は、一対の第１の領域２３８それぞれに２つずつ配列される。各第１の領域２３８で、２つの縦溝部２７は、第１の比率で第１の領域２３８を占有する。
残りの３つの縦溝部２７は、第２の領域２３７に配列される。この３つの縦溝部２７は、第２の比率で第２の領域２３７を占有する。
【０１１４】
第２の領域２３７から第１の領域２３８に向かって徐々に第２の縦溝部２７の配列ピッチが大きくなるのに連動して、第２の領域２３７から第１の領域２３８に向かってブロック部２９の面積も徐々に大きくなっている。
【０１１５】
このように、本実施形態においては、縦溝部２７の配列ピッチが、第２の領域２３７から第１の領域２３８に向かって徐々に大きくなっているので、第２の領域２３７における縦溝部２７の占有比率（第２の比率）が、第１の領域２３８における縦溝部２７の占有比率（第１の比率）よりも大きく構成される。
【０１１６】
また、本実施形態では、吸収性コア４２０は、中央から両側方に向かって幅方向に徐々に変形しやすさが変化する。これにより、臀裂から臀部の膨らみにかけた領域に対応する吸収性コア２２０の変形が緩やかとなり、フィット性がより向上する。
【０１１７】
また、本実施形態では、後方コア部２３において、第２の領域２３７における各ブロック部２９２の面積は、一対の第１の領域２３８の境界部２３ａを有するブロック部２９１を除く各ブロック部２９１の面積よりも小さくなっている。
言い換えると、ブロック部２９２及びブロック部２９１の長手方向における寸法がいずれも同じとなるように横溝部２８が設けられているので、ブロック部２９２の幅方向における寸法は、ブロック部２９１の幅方向における寸法よりも小さくなっている。
【０１１８】
このように、幅方向の中央部に位置する第２の領域２３７に配置されるブロック部２９２の面積を小さくする、換言すると、ブロック部２９２の幅方向における寸法を短くすることにより、幅方向に隣り合うブロック部２９２間に位置する縦溝部２７が変形起点となりやすく、ブロック部２９２内で変形が起きにくい。
従って、ナプキン１を装着した際に、臀裂に沿って理想的な形状にナプキン１が変形しやすい。
【０１１９】
以上、本発明の各実施形態について説明したが、本発明は上述の実施形態にのみ限定されるものではなく、本発明の要旨を逸脱しない範囲内において種々変更を加え得ることは勿論である。
【０１２０】
例えば、上述の各実施形態の吸収性コアにおいて、横溝部を設けず、縦溝部だけを有する吸収性コアとしてもよい。
また、上述の各実施形態の吸収性コアは、中間コア部２２が、前方コア部２１及び後方コア部２３よりも幅狭となった括れのある平面形状であった。これに対し、吸収性コアの長手方向において幅の寸法が変化しない、括れのない平面形状の吸収性コアとしてもよい。
【０１２１】
また、第１の実施形態においては、前方コア部２１と後方コア部２３とで、縦溝部２７の幅、縦溝部２７の配列ピッチが同じであるのに対し、第２〜第５の各実施形態においては、前方コア部２１と後方コア部２３とで、縦溝部２７の幅、縦溝部２７の配列ピッチが異なっている。
第２〜第５の各実施形態において、前方コア部２１に配列される縦溝部２７を、後方コア部２３と同様の幅、配列ピッチで配列させてもよい。
【０１２２】
また、上述の各実施形態の吸収性コアの後方コア部においては、ブロック部と溝部の底部との坪量が異なる場合を例にあげて説明したが、これに限定されず、例えばブロック部と溝部の底部の坪量が等しくてもよい。少なくとも溝部の底部の厚みがブロック部の厚みより薄ければよく、これにより溝部が配列される領域はブロック部が位置する領域よりも変形しやすい。
【０１２３】
また、上述の実施形態では、積繊装置を用いて後方構造面に凹凸構造を有する吸収性コアを製造する例をあげたが、これに限定されない。例えば面内の厚みがほぼ均一な略平坦面を有する吸収性コアの一方の面に部分的に押圧して溝部を形成して、凹凸構造を有する吸収性コアを製造してもよい。
【０１２４】
また、以上の各実施形態では、吸収性物品として生理用ナプキンの例を示したが、これに限定されない。本発明の吸収性物品は、例えば、失禁パットやおりものシート、使い捨ておむつ等であってもよい。
【符号の説明】
【０１２５】
１…ナプキン（生理用ナプキン、吸収性物品）
２０、１２０、２２０、３２０、４２０…吸収性コア
２１…前方コア部
２３…後方コア部
２７…縦溝部
２８…横溝部
２９…ブロック部
５３…後方構造面（構造面）
２３７…第２の領域
２３８…第１の領域
２３９…第３の領域
２７１…第１の縦溝部（縦溝部）
２７２…第２の縦溝部（縦溝部）
２９１…第１の領域におけるブロック部
２９２…第２の領域におけるブロック部
【図１】
2019103713.tif 000003
【図２】
2019103713.tif 000004
【図３】
2019103713.tif 000005
【図４】
2019103713.tif 000006
【図５】
2019103713.tif 000007
【図６】
2019103713.tif 000008
【図７】
2019103713.tif 000009
【図８】
2019103713.tif 000010
【図９】
2019103713.tif 000011